(57)【要約】      （修正有）【課題】回収の手間を回避することができる使い捨て可能な安全装置を提供する。【解決手段】安全装置１０は、細長い矩形の底板１２と、底板１２に対して直立するように底板１２の一対の短辺にそれぞれ連結された一対の横板１４とを備え、横板１４の各々が、互いに平行な下辺と上辺、下辺の一端と上辺の一端を結ぶ第１斜辺、および下辺の他端と上辺の他端を結ぶ第２斜辺を有し、下辺を含む直線と第１斜辺とのなす角度αが直線と第２斜辺とのなす角度βよりも小さい逆台形の形状に形作られており、底板の一方の長辺および一対の第１斜辺に連結された建築物側板１６と、底板１２の他方の長辺および一対の第２斜辺に連結された足場側板１８とをさらに備え、底板１２、横板１４、建築物側板１６および足場側板１８が、板紙又は段ボールで形成されている。【選択図】図１
2015224462.tif 000002
【特許請求の範囲】
【請求項１】
建築物の外壁を改修する際に用いられる外壁補修工事用安全装置であって、
細長い矩形の底板と、
前記底板に対して直立するように前記底板の一対の短辺にそれぞれ連結された一対の横板とを備え、前記横板の各々が、互いに平行な下辺と上辺、前記下辺の一端と前記上辺の一端を結ぶ第１斜辺、および前記下辺の他端と前記上辺の他端を結ぶ第２斜辺を有し、前記下辺を含む直線と前記第１斜辺とのなす角度αが前記直線と前記第２斜辺とのなす角度βよりも小さい逆台形の形状に形作られており、
前記底板の一方の長辺および一対の前記第１斜辺に連結された建築物側板と、
前記底板の他方の長辺および一対の前記第２斜辺に連結された足場側板とをさらに備え、
前記底板、前記横板、前記建築物側板および前記足場側板が、板紙又は段ボールで形成されていることを特徴とする装置。
【請求項２】
前記角度αが３０度〜４０度、前記角度βが７０度〜９０度であることを特徴とする請求項１に記載された装置。
【請求項３】
板紙又は段ボールで形成され、前記建築物側板の長辺に連結された矩形の外壁接触板をさらに備えていることを特徴とする請求項１又は２に記載された装置。
【発明の詳細な説明】
【技術分野】
【０００１】
本発明は一般に、建築物の外壁を改修する際における外壁補修工事に用いる安全装置に関する。より詳細には、本発明は、外壁補修工事における作業の手間を軽減し、安全な作業を可能とし、作業時間と作業コストを減少させる使い捨て可能な外壁補修工事用安全装置に関する。
【背景技術】
【０００２】
古い建築物における外壁補修工事は、一般的に、外壁の周囲に組んだ足場の上に作業者が載って、タイル等の古い外壁材を剥がした後、新しい外壁材を外壁に貼る等して施工することによって行われる。この際、外壁から剥がした古い外壁材は、足場の上に一旦落としておき、その後、清掃することによって処理していたが、このような作業方法では、外壁材を剥がす際に撤去材が誤って地上に落下しないように足場の周囲に安全ネットを張りめぐらさなければならず、作業に手間と時間がかかるとともに、作業コストを増大させる一因ともなる等の種々の不都合がある。
【０００３】
このような現状に鑑みて、本発明者は、古い建築物の外壁補修工事における手間を軽減し、作業時間と作業コストを減少させる安全な外壁補修工事用安全装置及び外壁補修方法を提案した（特許文献１〜４参照）。
【０００４】
【特許文献１】特許第３４４６９５８号公報
【特許文献２】特許第４３６０４９４号公報
【特許文献３】特許第４６４０９４９号公報
【特許文献４】特許第５３８２９０１号公報
【発明の概要】
【発明が解決しようとする課題】
【０００５】
上述の外壁補修工事用安全装置および外壁補修方法は、幸いにして好評を博しているが、これらの安全装置及び補修方法は、工事が終了した後に装置を回収して保管するのに手間がかかるという不都合があった。そこで、本発明者は、回収の手間を回避することができる使い捨て可能な外壁補修工事用安全装置を新たに開発した。
【課題を解決するための手段】
【０００６】
本願請求項１に記載の外壁補修工事用安全装置は、細長い矩形の底板と、前記底板に対して直立するように前記底板の一対の短辺にそれぞれ連結された一対の横板とを備え、前記横板の各々が、互いに平行な下辺と上辺、前記下辺の一端と前記上辺の一端を結ぶ第１斜辺、および前記下辺の他端と前記上辺の他端を結ぶ第２斜辺を有し、前記下辺を含む直線と前記第１斜辺とのなす角度αが前記直線と前記第２斜辺とのなす角度βよりも小さい逆台形の形状に形作られており、前記底板の一方の長辺および一対の前記第１斜辺に連結された建築物側板と、前記底板の他方の長辺および一対の前記第２斜辺に連結された足場側板とをさらに備え、前記底板、前記横板、前記建築物側板および前記足場側板が、板紙又は段ボールで形成されていることを特徴とするものである。
【０００７】
本願請求項２に記載の外壁補修工事用安全装置は、前記請求項１の安全装置において、前記角度αが３０度〜４０度、前記角度βが７０度〜９０度であることを特徴とするものである。
【０００８】
本願請求項３に記載の外壁補修工事用安全装置は、前記請求項１又は２の安全装置において、板紙又は段ボールで形成され、前記建築物側板の長辺に連結された矩形の外壁接触板をさらに備えていることを特徴とするものである。
【発明の効果】
【０００９】
本発明の安全装置によれば、建築物側板が緩傾斜で形成されているので、効率的な補修工事を行うことができる。すなわち、作業者は、外壁材を剥がして、その位置でそのまま下方に落とすのみでよく、落とした外壁材は、建築物側板を滑り落ちて、作業者の足下に集積されることとなる。また、外壁接触板を設けることにより、剥がした外壁材が建築物と外壁との間の隙間から落下するのを確実に防止することができる。本発明の安全装置は、板紙又は段ボールで形成されているので、回収作業を行うことなく、廃棄することができる。また、本発明の安全装置は、設置が極めて容易であり、足場の周囲に安全ネットを張りめぐらす従来の方法と比較すると、手間と時間が大幅に削減されるとともに、作業コストを減少させることができる。さらに、本発明の安全装置は、持ち運びが容易であり、使い捨て可能であるので、大きな保管スペースも必要としない。
【図面の簡単な説明】
【００１０】
【図１】本発明の好ましい実施の形態に係る安全装置の斜視図である。
【図２】図１の安全装置の分解斜視図である。
【図３】図１の安全装置の側面図である。
【図４】図１の安全装置の展開図の一例である。
【図５】図５ （ａ）は、図１の安全装置の使用状態の例を示した斜視図、図５（ｂ）は、図１の安全装置の使用状態を説明するための模式である。
【図６】図１の安全装置の使用状態の例を示した正面図である。
【発明を実施するための形態】
【００１１】
次に、図面を参照して、本発明の好ましい実施の形態に係る外壁補修工事用安全装置（以下「安全装置」という）について詳細に説明する。図１は、安全装置の斜視図、図３は、図１の安全装置の側面図である。図１において全体として参照符号１０で示される本発明の好ましい実施の形態に係る安全装置は、細長い矩形の底板１２と、底板１２に対して直立するように底板１２の一対の短辺１２ａにそれぞれ連結された一対の横板１４とを備えている。
【００１２】
各横板１４は、台形を逆さまにした逆台形の形状を有している。すなわち、図３に最もよく示されるように、各横板１４は、互いに平行な下辺１４ａおよび上辺１４ｂと、下辺１４ａの一端と上辺１４ｂの一端を結ぶ第１斜辺１４ｃと、下辺１４ａの他端と上辺１４ｂの他端を結ぶ第２斜辺１４ｄとを有している。下辺１４ａを含む直線ｘ‐ｘと第１斜辺１４ｃとのなす角度αは、直線ｘ‐ｘと第２斜辺１４ｄとのなす角度βよりも小さい。したがって、第２斜辺１４ｄは、第１斜辺１４ｃよりも急傾斜であり、角度βが９０度のこともあり得る。好ましくは、角度αは約３０度〜約４０度、角度βは約７０度〜約９０度である。
【００１３】
安全装置１０はまた、底板１２の一方の長辺１２ｂおよび横板１４の第１斜辺１４ｃの各々に連結された建築物側板１６と、底板１２の他方の長辺１２ｂおよび横板１４の第２斜辺１４ｄの各々に連結された足場側板１８とを備えている。
【００１４】
好ましくは、安全装置１０は、建築物側板１６の長辺１６ａに連結された矩形の外壁接触板２０を備えている。外壁接触板２０は、後述するように、安全装置１０を使用して外壁補修工事を行う際に、建築物の外壁に接触させて外壁材の破片が外部に落下するのを防止する。
【００１５】
以上の構成により、安全装置１０は、上方が開放し、前面と後面が傾斜した細長い箱となる。
【００１６】
安全装置１０を構成する底板１２、横板１４、建築物側板１６、足場側板１８および外壁接触板２０は、板紙又は段ボールで形成される。
【００１７】
底板１２、横板１４、建築物側板１６、足場側板１８および外壁接触板２０によって構成される安全装置１０は、たとえば図４に示されるようなものを準備し、使用時に所定箇所を折り曲げ、のりしろに接着剤を塗布して接着することによって形成してもよい。或いは、別体の底板１２、横板１４、建築物側板１６、足場側板１８および外壁接触板２０をそれぞれ準備し、各板を組み立ててテープなどを使用して接合し、安全装置１０を形成してもよい。
【００１８】
次に、主として図５および図６を参照して、以上のように構成された安全装置１０の使用について説明する。図５（ａ）は、安全装置１０が足場上に設置されている状態を示した斜視図である。まず最初に、外壁補修工事を行う建築物の外壁の前面に足場を配置する。そして、外壁材（例えば、タイル）を剥がそうとする高さにおける足場の床部分上に、外壁接触板２０を建築部の外壁に接触させた状態で底板１２を置くようにして、安全装置１０を設置する。外壁接触板２０を建築部の外壁に接触させることによって、建築物側板１６が建築物側に位置し、足場側板１８が建築物から遠い方の側に位置することとなる。これにより、外壁補修工事を行おうとする建築物の外壁の前面に、底板１２、横板１４、建築物側板１６および足場側板１８で囲まれた箱形の空間（安全装置１０）が形成されることとなる。
【００１９】
このような状態で外壁補修工事を行う。剥がした外壁材を下方に落とすと、建築物側板１６が緩傾斜で形成されているので、外壁材は建築物側板１６に当たって底板１２に滑り落ちる（図５（ｂ）参照）。すなわち、作業者は、外壁材を剥がして、その位置でそのまま下方に落とすのみでよく、落とした外壁材は、建築物側板１６を滑り落ちて、作業者の足下に集積されることとなる。その際、外壁接触板２０が建築部の外壁に接触しているので、剥がした外壁材が建築物と外壁との間の隙間から外部に落下するのを防止することができる。なお、作業者が片足を底板１２の上に載せて安全装置１０を押さえながら作業を行う（図６参照）と、安全装置１０がずれることがなく、円滑に作業を実施することができる。補修工事が終了すると、剥がした外壁材が入った安全装置１０を地上に下ろし、剥がした外壁材を所定箇所に廃棄した後、安全装置１０を解体して廃棄する。このようにして、安全を確保しつつ迅速に補修工事を行うことができる。
【００２０】
本発明は、以上の発明の実施の形態に限定されることなく、特許請求の範囲に記載された発明の範囲内で、種々の変更が可能であり、それらも本発明の範囲内に包含されるものであることはいうまでもない。
【００２１】
例えば、図示されている板１２、１４、１６，１８、２０の寸法などは例示的なものであり、これらに限定されるものではない。
【符号の説明】
【００２２】
１０  外壁補修工事用安全装置
１２  底板
１２ａ  短辺
１２ｂ  長辺
１４  横板
１４ａ  下辺
１４ｂ  上辺
１４ｃ  第１斜辺
１４ｄ  第２斜辺
１６  建築物側板
１８  足場側板
２０  外壁接触板
【図１】
2015224462.tif 000003
【図２】
2015224462.tif 000004
【図３】
2015224462.tif 000005
【図４】
2015224462.tif 000006
【図５】
2015224462.tif 000007
【図６】
2015224462.tif 000008